Podtech/llm-jp-corpus-v4-ja_patent huggingface dataset:
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
等間隔に離間され、それぞれが乾燥粉末形態の薬剤を含む複数のブリスターポケットで構成されるブリスター包装体から乾燥粉末形態の薬剤を送達するのに適した吸入器であって、
患者が使用時に開封されたブリスターから前記乾燥粉末形態の薬剤を吸入することを可能にするマウスピース（１４）と、
使用時に前記ブリスター包装体を割り出し、前記乾燥粉末形態の薬剤の吸入の準備が整うことを可能にする歯車機構と、
前記マウスピース（１４）を隠し、前記歯車機構を起動させる回転式マウスピースカバー（２）と、
前記歯車機構の構成要素であり、マウスピースカバーの接続点（２９）を介して前記マウスピースカバー（２）に接合される駆動歯車（１２）と、
上部ハウジング部材（４ａ）と下部ハウジング部材（４ｂ）との間に位置し、内部に前記ブリスター包装体及び前記歯車機構が封入されるハウジング（１０）と、
マウスピースカバー（２）の前記動作を防止するストッパ（３１）と、
を備え、
ストッパ（３１）が爪（３１ａ）、押しボタン（３１ｂ）及び支持部分（３１ｃ）で構成され、マウスピース（１４）が完全に覆われる位置にマウスピースカバー（２）がある場合、爪（３１ａ）が前記マウスピースカバーの前記内面にある窪み部分（２ｃ）と係合して、マウスピースカバー（２）の前記動作を防止し、支持部分（３１ｃ）が跳ね返って押しボタン（３１ｂ）を押下できるようになると、爪（３１ａ）と同期して動作する押しボタン（３１ｂ）が押下され、それによって吸入器の作動のためにマウスピースカバー（２）が回転することができることを特徴とする、吸入デバイス。
【請求項２】
前記歯車機構を起動するマウスピースカバー（２）が、以下の２つの位置のうち一方にあり、
第一位置では、マウスピースカバー（２）が回転経路の一方端の突出部分（２３ａ，２４ａ）に載って、マウスピース（１４）が完全に覆われ、前記デバイスが待機モードにあり、
第二位置では、前記マウスピースカバーが前記回転経路の前記他方端の突出部分（２３ｂ，２４ｂ）に載って、デバイスの作動により、１回分投与量の前記乾燥粉末薬剤の吸入の準備が整う、請求項１に記載の吸入デバイス。
【請求項３】
吸入器のマウスピースカバー（２）が、駆動歯車（１２）によって前記マウスピースカバーの１つの接続点（２９）を介して前記歯車機構と接合する、請求項１に記載の吸入デバイス。
【請求項４】
マウスピースカバー（２）に接続された前記駆動歯車の端部（１２ａ）の形状が、前記駆動歯車の他方端（１２ｂ）の形状とは異なる、請求項１及び３に記載の吸入デバイス。
【請求項５】
マウスピースカバー（２）に接続された駆動歯車の端部（１２ａ）の表面積が３０〜１００ｍｍ２の範囲である、請求項４に記載の吸入デバイス。
【請求項６】
マウスピースカバー（２）に接続された前記駆動歯車の端部（１２ａ）の表面積が３２〜９０ｍｍ２の範囲である、請求項５に記載の吸入デバイス。
【請求項７】
マウスピースカバー（２）に接続された前記駆動歯車の端部（１２ａ）の前記表面積が４０〜８０ｍｍ２の範囲である、請求項６に記載の吸入デバイス。
【請求項８】
マウスピースカバー（２）に接続された前記駆動歯車の端部（１２ａ）の形状が四角形である、請求項４に記載の吸入デバイス。
【請求項９】
マウスピースカバー（２）に接続された駆動歯車の端部（１２ａ）の形状が台形である、請求項８に記載の吸入デバイス。
【請求項１０】
上部ハウジング部材（４ａ）及び下部ハウジング部材（４ｂ）上の突起（２３ａ，２３ｂ；２４ａ，２４ｂ）によって制限された経路が提供される、請求項１に記載の吸入デバイス。
【請求項１１】
マウスピースカバー（２）が、上部ハウジング部材（４ａ）及び下部ハウジング部材（４ｂ）上で摺動することによって回転運動する、請求項１に記載の吸入デバイス。
【請求項１２】
前記デバイスの各作動に応答して、マウスピースカバー（２）が、前記上部及び前記下部ハウジング部材の窪み（２３ａ，２３ｂ；２４ａ，２４ｂ）によって画定された一定距離の経路に沿って３０°から１６０°の範囲の固定角度だけ回転する、前記請求項のいずれか１項に記載の吸入デバイス。
【請求項１３】
前記マウスピースカバーが容易に回転できるように、マウスピースカバー（２）の一方端に湾曲部分（２ａ）がある、請求項１に記載の吸入デバイス。
【請求項１４】
前記歯車機構の全構成要素は、直接又は間接的に相互に係合する、請求項１に記載の吸入デバイス。
【請求項１５】
前記歯車機構は、
マウスピースカバー（２）の前記一定角度の動作を割り出しラチェットホイール（３）に伝達することによって、デバイス（１）を作動させる駆動歯車（１２）と、
割り出しラチェットホイール（３）と同期し、使用時にブリスター包装体（１５）の割り出しを可能にする割り出しホイール（８）と、
割り出しホイール（８）が回転すると、機構ホイール（５）を介して巻取りホイール（１３）を動作させる巻取りホイール歯車（６）と、
割り出しホイール（８）の動作をカウンタホイール（９）に伝達するピニオン歯車（１１）及びベース歯車（７）と、
使用時にデバイス（１）内に残っている前記未使用のブリスターポケット（１５ａ）の数を表示するカウンタ歯車（９）と、
で構成される、請求項１又は１４に記載の吸入デバイス。
【請求項１６】
前記乾燥粉末形態の薬剤が、クロモリン、抗感染薬、抗ヒスタミン薬、抗炎症薬、気管支拡張薬、ロイコトリエン阻害薬、ＰＤＥ  ＩＶ阻害薬、鎮咳薬、利尿薬、抗コリン作用薬、ホルモン、キサンチン及びその薬学的に許容可能な組合せを含む群から選択される、請求項１から１５のいずれか１項に記載の乾燥粉末形態の薬剤の送達に適した吸入デバイス。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
乾燥粉末形態の薬剤の送達に適した吸入器（１）であって、前記デバイスの各構成要素は、
帯電防止物質及び／又は抗菌物質でコーティングされるか、又は
帯電防止及び／又は抗菌物質を含む材料で作製される
ことを特徴とする、吸入器。
【請求項２】
前記デバイス構成要素は、好ましくは、吸入中に、前記乾燥粉末形態の薬剤が中を通過する構成要素である、請求項１に記載の吸入器。
【請求項３】
前記乾燥粉末形態の薬剤が中を通過する前記構成要素は、好ましくは、マウスピース（１４）、マウスピース（１４）と前記乾燥粉末薬剤が配置される場所との間に存在する一般的にマニホールド（２０）と呼ばれる構成要素、マニホールド（２０）及びマウスピース（１４）を相互接続する１つ又は複数の流路（２５ａ；２５ｂ）、前記乾燥粉末形態の薬剤が通過する開口（２２）、及び篩である、請求項２に記載の吸入器。
【請求項４】
前記デバイスの前記構成要素のコーティングは、好ましくは、抗菌物質及び／又は帯電防止物質を含む流体を用いて作製される、請求項１に記載の吸入器。
【請求項５】
前記各デバイス構成要素をコーティングするために使用される抗菌及び／又は帯電防止物質を含む前記コーティングは、
前記コーティングの総重量の０．００２％〜７％の範囲、好ましくは、０．０１％〜４％の範囲の抗菌物質、及び／又は
前記コーティングの総重量の０．００１％〜６％の範囲、好ましくは０．０１％〜５％の範囲の帯電防止物質を含む、請求項１に記載の吸入器。
【請求項６】
抗菌物質及び／又は帯電防止物質を含む前記各デバイス構成要素は、
前記デバイス構成要素の総重量の０．００１％〜８％の範囲、好ましくは０．０１％〜５％の範囲の抗菌物質、及び／又は
前記デバイス構成要素の総重量の０．００２％〜８％の範囲、好ましくは０．０１％〜６％の範囲の帯電防止物質を含む、請求項１に記載の吸入器。
【請求項７】
前記各構成要素の表面に抗菌及び／又は帯電防止物質でコーティングされた区域が生成される、請求項１に記載の吸入器。
【請求項８】
前記区域はそれぞれ、抗菌物質を単独で又は帯電防止物質を単独で、又は抗菌及び帯電防止物質の両方を含むことができる、請求項７に記載の吸入器。
【請求項９】
前記帯電防止物質は、長鎖アミン、アミド、第４級塩基及びそれらの塩などの窒素化合物；グリセリンエステル；スルホン酸又はスルホン酸塩；リン酸又はそれらの塩；ポリグリコール又はポリアルコール誘導体；飽和天然脂肪のモノグリセリド；直鎖天然脂肪酸のコリンエステラーゼ塩化物；ラウリン酸ジエタノールアミドを持つ天然飽和脂肪酸のジエタノールアミド；ピロリン酸ナトリウム；酢酸カリウム又はこれらの組合せを含む群から選択される、請求項１〜８のいずれか１項に記載の吸入器。
【請求項１０】
前記抗菌物質は、ハロゲン化ジフェニルエーテル（例えば、トリクロサン）、フェニル化合物、ハロフェノール系及びビスフェノール系化合物、レゾルシノール及びその誘導体、安息香酸エステル、第四級アンモニウム化合物などの有機化合物；銀、亜鉛及び銅などの金属；ゼオライト及びＮａ−Ａｌシリケートなどのその他の無機化合物；キトサン及び植物油及びこれらの組合せを含む天然生成物を含む群から選択される、請求項１〜９のいずれか１項に記載の吸入器。
【請求項１１】
前記吸入器は、乾燥粉末形態の薬剤の送達に適する、請求項１〜１０のいずれか１項に記載の吸入器。
【請求項１２】
前記吸入器は、前記乾燥粉末形態の薬剤の担持を可能にするカプセル又はブリスター包装体（１５）を含む、請求項１〜１１のいずれか１項に記載の吸入器。
【請求項１３】
前記デバイス構成要素は、スチレンアクリロニトリル、ポリオキシメチレン、アクリル酸ポリメチルメタクリレート、酢酸セルロース、ポリエーテルエーテルケトン、塩化ポリビニル、ポリエチレン、ポリプロピレン、アクリロニトリルブタジエンスチレン、セルロース、ポリカーボネート、ポリアミド、ポリスチレン、ポリウレタン又はフルオロポリマーのタイプを含む群から選択される材料で作製することができる、請求項１〜１２のいずれか１項に記載の吸入器。
【請求項１４】
前記マニホールドの表面は、好ましくは帯電防止物質のみを含むコーティングでコーティングすることができ、又は、前記マニホールド構成要素は、好ましくは、帯電防止物質のみを含む材料で作製することができる、請求項１〜１３のいずれか１項に記載の吸入器。
【請求項１５】
前記デバイスの前記マウスピースは、好ましくは抗菌物質のみを含むコーティングでコーティングすることができ、又は前記デバイスの前記マウスピースは、好ましくは抗菌物質のみを含む材料で作製することができる、請求項１〜１４のいずれか１項に記載の吸入器。
【請求項１６】
前記マニホールド構成要素（２０）は、好ましくはアクリロニトリルブタジエンスチレン又はポリオキシメチレンで作製される、請求項１３に記載の吸入器。
【請求項１７】
前記マウスピース構成要素（１４）は、好ましくは、シリコン、アクリロニトリルブタジエンスチレン又はポリオキシメチレンで作製される、請求項１３に記載の吸入器。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
それぞれが乾燥粉末形態の薬剤を含み、等間隔に離間された複数のブリスターポケット（１５ａ）で構成されたブリスター包装体（１５）から前記乾燥粉末形態の薬剤を送達するのに適した吸入器（１）であって、
患者が、開封されたブリスターポケット（１５ａ）から前記乾燥粉末形態の薬剤を吸入するのを可能にするマウスピース（１４）と、
マウスピース（１４）を覆う回転式マウスピースカバー（２）と、
ブリスター包装体（１５）を割り出して、前記乾燥粉末形態の薬剤の吸入の準備を整えることを可能にする歯車機構と、
上部ハウジング部材（４ａ）と下部ハウジング部材（４ｂ）との間に位置し、ブリスター包装体（１５）及び前記歯車機構を封入するハウジング（１０）と、
外部空気がデバイス（１）に入れるようにする少なくとも１つの空気入口（２２）と、
空気入口（２２）から入る前記空気が通過するマニホールド（２０）と、
を備え、
二部型マニホールド（２０）の第一部分（２０ｃ）から仕切られた該マニホールドの第二部分（２０ｄ）の対向する壁（Ａ；Ｂ）に開口（２０ｅ；２０ｆ）を有することを特徴とし、該マニホールドでは、乱流を生成するために、患者が吸入すると少なくとも１つの空気入口（２２）を通って前記デバイスに入る外部空気が、ブリスター（１５ａ）内で前記乾燥粉末薬剤を同伴する、吸入器（１）。
【請求項２】
前記マニホールドの第二部分（２０ｄ）内の対向壁（Ａ，Ｂ）のそれぞれに少なくとも１つの開口が配置されている、請求項１に記載の吸入器（１）。
【請求項３】
前記マニホールドの前記第二部分の対向壁（Ａ，Ｂ）のそれぞれにある開口（２０ｅ，２０ｆ）は、互いに非対称に配置されることが好ましい、請求項２に記載の吸入器（１）。
【請求項４】
前記マニホールドの前記第二部分の対向壁（Ａ，Ｂ）にある各開口（２０ｅ，２０ｆ）の断面は、０．０１ｍｍ２〜２７ｍｍ２の範囲である、請求項２に記載の吸入器（１）。
【請求項５】
前記マニホールドの前記第二部分の対向壁（Ａ，Ｂ）にある各開口（２０ｅ，２０ｆ）の断面は、０．０１ｍｍ２〜７ｍｍ２の範囲であることが好ましい、請求項２に記載の吸入器（１）。
【請求項６】
ブリスター（１５ａ）に近い前記マニホールドの仕切られた各部分（２０ｃ，２０ｄ）の縁部に、４つのサブ開口を有する円形開口が配置されることが好ましい、請求項１に記載の吸入器（１）。
【請求項７】
ブリスター（１５ａ）に近い前記マニホールドの仕切られた各部分（２０ｃ，２０ｄ）の縁部にある４つのサブ開口（２０ａ，２０ｂ）を有する前記開口の中心間の距離は、３．０ｍｍ〜３．８ｍｍの範囲である、請求項６に記載の吸入器（１）。
【請求項８】
ハウジング（１０）は、前記ブリスターパックを剥離するビーク（１６）及びマニホールド（２０）を封入することが好ましい、請求項１に記載の吸入器（１）。
【請求項９】
前記上部及び下部ハウジング部材上の突起（２３ａ，２３ｂ；２４ａ，２４ｂ）によって制限された経路が配置される、請求項１に記載の吸入器（１）。
【請求項１０】
マウスピースカバー（２）は、上部ハウジング部材（４ａ）及び下部ハウジング部材（４ｂ）上を摺動することによって回転運動する、請求項１に記載の吸入器（１）。
【請求項１１】
マウスピースカバー（２）は、
−マウスピースカバー（２）が第一位置にあって、マウスピースカバー（２）が完全に覆われて、デバイス（１）が待機モードにある位置と、
−マウスピースカバー（２）が第二位置にあって、デバイス（１）が作動すると、１回分投与量の乾燥粉末形態の薬剤に吸入の準備が整う位置と、
の２つの位置にのみある、請求項１〜１０のいずれか１項に記載の吸入器（１）。
【請求項１２】
前記歯車機構の全構成要素は、直接又は間接的に相互に係合する、請求項１に記載の吸入器（１）。
【請求項１３】
前記歯車機構は、
−マウスピースカバー（２）の運動を割り出しラチェットホイール（３）に伝達することによって、デバイス（１）を作動させる駆動歯車（１２）と、
−割り出しラチェットホイール（３）と同期し、ブリスター包装体（１５）の割り出しを可能にする割り出しホイール（８）と、
−割り出しホイール（８）が回転すると、機構ホイール（５）を介して巻取りホイール（１３）を動作させる巻取りホイール歯車（６）と、
−割り出しホイール（８）の動作をカウンタホイール（９）に伝達するピニオン歯車（１１）及びベース歯車（７）と、
−デバイス（１）内に残っている未使用のブリスターポケット（１５ａ）の数を表示するカウンタホイール（９）と
で構成される、請求項１又は１２に記載の吸入器（１）。
【請求項１４】
それぞれが乾燥粉末形態の薬剤を含み、等間隔に離間された複数のブリスターポケット（１５ａ）で構成されたブリスター包装体（１５）をさらに備える、請求項１〜１３のいずれか１項に記載の吸入器（１）。
【手続補正書】
【提出日】平成26年3月28日(2014.3.28)
【手続補正１】
【補正対象書類名】特許請求の範囲
【補正対象項目名】全文
【補正方法】変更
【補正の内容】
【特許請求の範囲】
【請求項１】
カニューレルーメンを形成するカニューレ壁を有する細長い管状カニューレと、
長側面及び短側面を有する、前記カニューレの傾斜した遠位端と、
前記カニューレ壁を貫き、前記カニューレルーメンに開口した切り込みと、
を備え、
前記カニューレルーメンは前記カニューレを長手方向に貫いて伸びており、
前記切り込みは、前記カニューレの傾斜した遠位端の近位側に隣接して配置されて、傾斜端の前記長側面と一直線上に整列する長手方向線を概ね中心とし且つ傾斜端の前記短側面の反対側にあり、
前記切り込みは、前記カニューレ壁の一部によって形成される遠位縁を有し、前記遠位縁は前記切り込みの最遠位端から近位方向に伸びるように構成されて、遠位縁中央部が、前記切り込みの概ね長手方向の側面に続いている縁端部の近位側に配置されており、
前記遠位縁が、近位方向に向いている刃先を有するようにされた、組織サンプル抽出針装置。
【請求項２】
前記カニューレルーメンを通して配置され、前記カニューレルーメンの実質的に全断面領域を、少なくとも前記カニューレルーメンの長手方向の部分において占めるスタイレットであって、前記スタイレットの遠位端が、前記カニューレの傾斜した遠位端と実質的に同一平面上で整列するように傾斜している、スタイレットをさらに備える、請求項１に記載の装置。
【請求項３】
前記カニューレは、約０．９mm（約０．０３７インチ）の内径を有する１９ゲージの針を備え、前記切り込みは、前記カニューレの外周の約半分を占めるようにされた、請求項１に記載の装置。
【請求項４】
前記切り込みの近位端から前記遠位縁中央部までの前記切り込みの外周方向中央での長手方向の長さが約４mm（約０．１６インチ）である、請求項３に記載の装置。
【請求項５】
前記遠位縁中央部が、前記切り込みの最遠位端から長手方向で約０．６mm（約０．０２５インチ）のところに配置されている、請求項４に記載の装置。
【請求項６】
前記切り込みの前記遠位縁と前記概ね長手方向の側面との間の移行曲面部が約０．０５mm（０．００２インチ）の曲率半径を有する、請求項５に記載の装置。
【請求項７】
前記切り込みに隣接し前記切り込みの近位側に配置されるエコー源性表面特徴のパターンを更に備える、請求項１に記載の装置。
【請求項８】
前記エコー源性表面特徴が、前記カニューレ壁の複数のくぼみからなる、請求項７に記載の装置。
【請求項９】
前記カニューレが、経口手術可視化装置のワーキングチャネルを貫く通路に対して十分な柔軟性があるように構成されている、請求項１に記載の装置。
【請求項１０】
前記カニューレの遠位端の付近に前記切り込みに長手方向及び横断方向で隣接しているエコー源性表面特徴のパターンを更に備える、請求項１に記載の装置。
【請求項１１】
前記切り込みのすぐそばに配置され、前記切り込みと同一平面にあるエコー源性表面特徴のパターンを更に備える、請求項１０に記載の装置。
【請求項１２】
前記カニューレは、１９ゲージ針、２２ゲージ針或いは、２５ゲージ針のうちの選択された１つからなり、前記切り込みは前記カニューレの外周の約半分を占めている、請求項１に記載の装置。
【請求項１３】
前記縁端部は、前記カニューレの応力を緩和するように構成されている、請求項１に記載の装置。
【請求項１４】
１９ゲージほどは大きくないサイズの柔軟性のある細長い管状カニューレであって、近位の吸引源と連通するように構成されたカニューレルーメンを形成するカニューレ壁を有し、前記カニューレルーメンが前記カニューレを長手方向に貫いて伸びる細長い管状カニューレと、
長側面及び短側面を有する、前記カニューレの傾斜した遠位端と
前記カニューレ壁を貫き、前記カニューレルーメンに開口した切り込みと、
を備え、
前記切り込みは、前記カニューレの傾斜した遠位端の近位側に隣接して配置されて、傾斜端の前記長側面と一直線上に整列する長手方向線を概ね中心とし且つ傾斜端の前記短側面の反対側にあり、
前記切り込みが、前記カニューレ壁の近位方向に向いている部分によって形成される刃先を有するようにされた、切り込みのある吸引生検針。
【請求項１５】
前記カニューレルーメンを通して配置され、前記カニューレルーメンの実質的に全断面領域を、少なくとも前記カニューレルーメンの長手方向の部分において占めるスタイレットであって、前記スタイレットの遠位端が、前記カニューレの傾斜した遠位端と実質的に同一平面上で整列するように傾斜して、組織を貫通する遠位先端を提供するように構成された、請求項１４に記載の針。
【請求項１６】
前記カニューレが、経口手術可視化装置のワーキングチャネルを貫く通路に対して十分な柔軟性のあるように構成されている、請求項１４に記載の針。
【請求項１７】
前記切り込みに隣接し前記切り込みの近位側に配置されるエコー源性表面特徴のパターンを更に備える、請求項１４記載の針。
【手続補正書】
【提出日】平成26年4月5日(2014.4.5)
【手続補正１】
【補正対象書類名】明細書
【補正対象項目名】０００６
【補正方法】変更
【補正の内容】
【０００６】
同様に、それら個々の成分は、前記送達システム内で硬化する前に混合および適用されなければならず、これまでの送達システムの懸案事項ともなっている。現行の先行技術システムは使用後に目詰まりする傾向があるため、前記システムは浄化して目詰まりを解消するまで使用できない。シーリング化合物を創傷に送達する装置は種々開発されているにもかかわらず、依然として複数成分からなるシーリング化合物を適用し、より短時間で使用準備が行える単純なシステムが必要とされている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第６，５２７，７４９号明細書
（特許文献２）  米国特許出願公開第２００５／０２８１８８３号明細書
（特許文献３）  米国特許第６，３７１，９７５号明細書
（特許文献４）  米国特許第６，４５８，１４７号明細書
（特許文献５）  米国特許第６，５６２，０５９号明細書
（特許文献６）  米国特許第６，７３３，５１５号明細書
（特許文献７）  米国特許第６，７４３，２４８号明細書
（特許文献８）  米国特許第６，８３０，７５６号明細書
（特許文献９）  米国特許出願公開第２００１／００１１１６２号明細書
（特許文献１０）  米国特許第６，４６１，３６１号明細書
（特許文献１１）  米国特許第６，５２７，７４９号明細書
（特許文献１２）  米国特許第６，７８３，５１４号明細書
（非特許文献）
（非特許文献１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１１／０３１２３５  ｄａｔｅｄ  Ｄｅｃｅｍｂｅｒ  ２７，２０１１
【手続補正書】
【提出日】平成26年4月5日(2014.4.5)
【手続補正１】
【補正対象書類名】明細書
【補正対象項目名】０００４
【補正方法】変更
【補正の内容】
【０００４】
従来のスプレー先端装置は加圧空気が前記スプレー先端を通るように方向づけられるポートを含み、これにより前記ヒドロゲルが前記スプレー先端内部で詰まるのを防ぐ。しかしながら、この装置は扱いにくく、例えばチューブ、圧力調節器、加圧空気供給源などの付属品を必要とする。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，８８７，７５５号明細書
（特許文献２）  米国特許第６，３７１，９７５号明細書
（特許文献３）  米国特許第６，４５８，１４７号明細書
（特許文献４）  米国特許第６，５６２，０５９号明細書
（特許文献５）  米国特許第６，６７３，０９３号明細書
（特許文献６）  米国特許第６，７３３，５１５号明細書
（特許文献７）  米国特許第６，７４３，２４８号明細書
（特許文献８）  米国特許第６，８３０，７５６号明細書
（特許文献９）  米国特許第６，９９４，６８６号明細書
（特許文献１０）  米国特許第８，３７７，５０７号明細書
（特許文献１１）  米国特許出願公開第２００３／０２０９６１２号明細書
（特許文献１２）  米国特許出願公開第２００９／００７６４５９号明細書
（特許文献１３）  米国特許出願公開第２０１０／０２１７２３１号明細書
（特許文献１４）  米国特許出願公開第２０１１／０２４５８６６号明細書
（非特許文献）
（非特許文献１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１１／０３１１９２  ｄａｔｅｄ  Ｄｅｃ．２７，２０１１．
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
以下を含む、純粋または無菌の物質のためのデリバリーシステム：
連続的にシールする一方向ディスペンシングバルブアセンブリ；
ディスペンシングポンプ；
チェックバルブ；
および
容積低減リザーバー；
ここで該バルブアセンブリは該ディスペンシングポンプに連通して接続され、該ディスペンシングポンプは該チェックバルブに連通して接続され、該チェックバルブは該容積低減リザーバーに連通して接続され、
それぞれの前記接続は密封され、前記デリバリーシステムの中でしっかりと密封された流路を作成する。
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
コーンビームコンピューター断層撮影に関する装置であって、
ハウジング内の弧形の放射線源経路の少なくとも一部分に沿って放射線源を移動させるように動作可能な放射線源移送部であって、前記弧形の放射線源経路がハウジング内の周縁ギャップの一方側と前記周縁ギャップの他方側の間に部分的に延び、かつ距離Ｄ２を有する、放射線源移送部と、
前記ハウジング上のインサートと、
デジタル放射検出器と、
前記ハウジング内の弧形の検出器経路の少なくとも一部分に沿って前記デジタル放射検出器を移動させるように動作可能な検出器移送部であって、前記弧形の検出器経路が距離Ｄ１を有し、当該距離Ｄ１は前記距離Ｄ２より短く、さらに前記弧形の検出器経路が前記周縁ギャップの一方側と他方側の間に部分的に延びている、検出器移送部と、
前記周縁ギャップを横切り前記弧形の検出器経路に連続する位置へと移動可能であり、前記周縁ギャップを横切って前記検出器経路を保護する周縁ギャップ閉鎖装置と、
を含む装置。
【請求項２】
前記ギャップ閉鎖装置が、ハウジングに収まるインサートを含むか、またはハウジング内の一つ以上の可動ドアを含む、請求項１に記載の装置。
【請求項３】
前記ハウジングが前記弧形の放射線源経路横切って延びている軸線の周りを回動可能であり、さらに前記ハウジングが、前記ハウジングの一方の側面から他方の側面に向かって前記ハウジングを貫いて延びている軸線の周りで更に回動可能であり、さらに前記ハウジングの高さが、垂直支持体内で調節可能である、
請求項１に記載の装置。
【請求項４】
コーンビームコンピューター断層撮影を提供するための方法であり、
ハウジング内の弧形の放射線源経路の少なくとも一部分に沿って放射線源を移動させるように動作可能である放射線源移送部上に、前記放射線源を据え付けるステップであって、前記弧形の放射線源経路は、ハウジング内の周縁ギャップの一方側と前記周縁ギャップの他方側の間に部分的に延び、中心の周りで半径Ｒ２を有し、さらに前記弧形の放射線源経路が移送平面を画定している、ステップと、
前記放射線源からの放射を受け取るために、患者の四肢の置くための台座を提供するステップと、
デジタル放射線検出器を前記ハウジング内の弧形の検出器経路の少なくとも一部分に沿って移動させるように動作可能である検出器移送部上に、前記デジタル放射線検出器を据え付けるステップであって、前記弧形の検出器経路は中心の周りで半径Ｒ１を有し、前記弧形の放射線源経路と同心であり、Ｒ１はＲ２よりも小さく、さらに前記弧形の検出器経路は、前記台座の一方と他方の間に部分的に延びて、かつ移送平面内にある、ステップと、
前記周縁ギャップを横切るように前記検出器経路を延長した位置に移動可能であるギャップ閉鎖装置を提供するステップと、
を含む方法。
【手続補正２】
【補正対象書類名】明細書
【補正対象項目名】００３２
【補正方法】変更
【補正の内容】
【００３２】
図５の上面図は、画像撮影装置１０への患者のアクセスに関するシーケンスを示している。開放されたアクセス位置４０においては、四肢が中心軸線Ａに沿って中央に配置されるように、周縁ギャップ３８が四肢のアクセスを可能にしている。開放されたアクセス位置４２に相当する足の外形線が患者の位置を示していて、参照のために表示されている。この例では、右脚が画像撮影される対象物であり、対をなす左脚は、周縁ギャップ３８のすぐ外側に置かれているだろう。一旦、患者の脚又は他の四肢が所定の位置に配置されると、検出器移送部３４、又はフード状のカバー若しくはこの移送経路を画定する他の部材が、旋回した移動位置４４で示されるように、周縁ギャップ３８の検出器部分を閉鎖させる位置へと旋回され得る。移送適所位置４６は、検出器移送部３４が、ＣＢＣＴ画像シーケンスを実行するために適した位置にある検出器移送部３４を示している。
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
複雑な律動障害の源を示すために患者の心臓に関連付けられる心臓情報を再構成するためのシステムにおいて、
少なくとも１つの計算デバイスを備え、前記計算デバイスが、
前記複雑な律動障害中に前記患者の心臓に空間的に関連付けられた複数のセンサから心臓情報信号を受信し、
前記心臓情報信号を、信頼性しきい値によって分けられる高信頼性の信号と低信頼性の信号に分類し、
許容窓内で前記低信頼性の信号に関連付けられる活性化開始を決定し、
時間的情報、空間的情報および位相的情報のうち少なくとも１つに基づいて前記高信頼性の信号および低信頼性の信号に関連付けられる前記活性化開始を順序付けし、
前記高信頼性の信号および前記低信頼性の信号に関連付けられる前記活性化開始を順序通りに出力して前記複雑な律動障害の源を示す
ように構成されることを特徴とするシステム。
【請求項２】
請求項１に記載のシステムにおいて、前記少なくとも１つの計算デバイスが、少なくとも２つの判別可能な活性化開始をつなぐベクトルを使用して、前記低信頼性の信号に関連付けられる活性化開始を決定することを特徴とするシステム。
【請求項３】
請求項１に記載のシステムにおいて、前記複雑な律動障害が、前記心臓情報信号が休止している判別可能な期間を備えないことを特徴とするシステム。
【請求項４】
請求項１に記載のシステムにおいて、前記複雑な律動障害が、前記心臓情報信号に関連付けられる判別可能な最も早い活性化開始を備えないことを特徴とするシステム。
【請求項５】
請求項１に記載のシステムにおいて、前記少なくとも１つの計算デバイスが、活性化開始、サイクル長（ＣＬ）、活動電位期間（ＡＰＤ）、および振幅の少なくとも１つを使用して、前記心臓情報信号を前記高信頼性の信号と低信頼性の信号に分類し、前記活性化開始が、最大のｄＶ／ｄｔ、テンプレートマッチング、周波数、および振幅の少なくとも１つを使用することによって決定されることを特徴とするシステム。
【請求項６】
請求項１に記載のシステムにおいて、前記少なくとも１つの計算デバイスが、活動電位期間（ＡＰＤ）、伝達速度（ＣＶ）、線維角、少なくとも２つの判別可能な活性化開始をつなぐベクトル、および解剖学的因子の少なくとも１つを使用して前記許容窓を決定することを特徴とするシステム。
【請求項７】
請求項１に記載のシステムにおいて、前記少なくとも１つの計算デバイスが、前記心臓情報信号からのベースライン変動および雑音を除去し、前記計算デバイスが、前記心臓情報信号をフィルタリングすることを特徴とするシステム。
【請求項８】
請求項１に記載のシステムにおいて、前記少なくとも１つの計算デバイスが、信号対雑音比（ＳＮＲ）、テンプレートマッチング、周波数、および振幅の少なくとも１つを使用して、前記心臓情報信号の少なくとも１つを無視することを特徴とするシステム。
【請求項９】
請求項５に記載のシステムにおいて、前記少なくとも１つの計算デバイスが、前記心臓情報信号に関連付けられる高い信頼性水準の拍動をテンプレートとして識別することによって、テンプレートマッチングを行うことを特徴とするシステム。
【請求項１０】
請求項５に記載のシステムにおいて、エキスパートシステムをさらに備え、前記エキスパートシステムがテンプレートマッチングを行うことを特徴とするシステム。
【請求項１１】
請求項１に記載のシステムにおいて、前記少なくとも１つの計算デバイスが、分類すべき拍動に関連付けられる形状に基づいて、前記心臓情報信号に関連付けられる拍動を分類することを特徴とするシステム。
【請求項１２】
請求項１に記載のシステムにおいて、前記少なくとも１つの計算デバイスが、最小の活動電位期間（ＡＰＤ）以上であり最大のサイクル長（ＣＬ）以下である分類すべき拍動に関連付けられるＣＬに応答して、前記心臓情報信号に関連付けられる拍動を高信頼性の拍動として分類することを特徴とするシステム。
【請求項１３】
請求項１に記載のシステムにおいて、前記少なくとも１つの計算デバイスが、最小の活動電位期間（ＡＰＤ）よりも小さい、または最大のサイクル長（ＣＬ）よりも大きい分類すべき拍動に関連付けられるＣＬに応答して、前記心臓情報信号に関連付けられる拍動を低信頼性の拍動として分類することを特徴とするシステム。
【請求項１４】
請求項２に記載のシステムにおいて、前記少なくとも１つの計算デバイスが、拍動形状、拍動極性、周囲の回転発散および半径方向発散の少なくとも１つを使用して前記ベクトルを修正することを特徴とするシステム。
【請求項１５】
請求項１に記載のシステムにおいて、エキスパートシステムをさらに備え、前記エキスパートシステムが、活動電位期間（ＡＰＤ）、伝達速度（ＣＶ）、少なくとも２つの判別可能な活性化開始をつなぐベクトル、周波数、および線維角の少なくとも１つを使用して前記許容窓を決定することを特徴とするシステム。
【請求項１６】
請求項１に記載のシステムにおいて、エキスパートシステムをさらに備え、前記エキスパートシステムが、波形を使用して活性化開始を決定することを特徴とするシステム。
【請求項１７】
請求項１に記載のシステムにおいて、前記少なくとも１つの計算デバイスが、移動平均と位相同期の少なくとも一方を使用して、前記低信頼性の信号に関連付けられる活性化開始を決定することを特徴とするシステム。
【請求項１８】
請求項２に記載のシステムにおいて、前記少なくとも１つの計算デバイスが、前記ベクトル、前記許容窓、前記移動平均、および前記位相同期のうちの少なくとも２つを使用することによって、決定された活性化開始を調和することによって、前記低信頼性の信号に関連付けられる活性化開始を決定することを特徴とするシステム。
【請求項１９】
請求項１に記載のシステムにおいて、さらに、
前記患者の心臓に空間的に関連付けられた複数のセンサから受信された前記心臓情報信号を記憶するように構成された少なくとも１つの記憶デバイスを備え、前記少なくとも１つの記憶デバイスが、前記少なくとも１つの計算デバイスに前記信号を提供するために前記少なくとも１つの計算デバイスに作動的に結合していることを特徴とするシステム。
【請求項２０】
請求項１に記載のシステムにおいて、さらに、
複数のセンサを備えるカテーテルを備え、前記センサが、前記患者の心臓に空間的に関連付けられた前記心臓情報信号を受信し、前記少なくとも１つの計算デバイスに前記心臓情報信号を提供するために前記少なくとも１つの計算デバイスに作動的に結合していることを特徴とするシステム。
【請求項２１】
請求項１乃至２０の何れか１項に記載のシステムにおいて、前記少なくとも１つの計算デバイスが、命令を記憶するコンピュータ可読媒体を備え、前記命令が、前記少なくとも１つの処理デバイスによって実行されるときに、前記少なくとも１つの処理デバイスに、前記少なくとも１つの計算デバイスの動作を実施させることを特徴とするシステム。
【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
システムの作動方法であって、
外傷前、外傷中、および外傷後の少なくとも１つにおける対象のための、単独の遠隔虚血コンディショニング療法（ＲＩＣ療法）または反復遠隔虚血コンディショニング療法（反復ＲＩＣ療法）のプロトコルに従い、前記システムを作動させること、
を含む、システムの作動方法。
【請求項２】
前記対象は循環血液量が減少している
請求項１に記載の方法。
【請求項３】
前記対象は低血圧である、
請求項１に記載の方法。
【請求項４】
前記単独ＲＩＣ療法または反復ＲＩＣ療法は、蘇生療法前、蘇生療法中、および蘇生療法後の少なくとも１つにおいて行われる、
請求項１〜３のいずれか１項に記載の方法。
【請求項５】
前記システムは、外傷に起因する前記対象の身体の細胞、組織、または臓器の損傷を低減または予防するためのシステムである、
請求項１〜４のいずれか１項に記載の方法。
【請求項６】
前記反復ＲＩＣ療法が、１日で行われる２回以上のＲＩＣ療法を含む、
請求項１〜５のいずれか１項に記載の方法。
【請求項７】
前記反復ＲＩＣ療法が、１日で行われる２回、３回、４回または５回のＲＩＣ療法を含む、
請求項６に記載の方法。
【請求項８】
前記反復ＲＩＣ療法が、２日以上で１回以上のＲＩＣ療法を含む、
請求項１〜５のいずれか１項に記載の方法。
【請求項９】
前記反復ＲＩＣ療法が、１ヶ月間毎日行われる１回以上のＲＩＣ療法を含む、
請求項１〜５のいずれか１項に記載の方法。
【請求項１０】
少なくとも１回のＲＩＣ療法が、前記外傷の３０分以内または１時間以内に行われる、
請求項１〜９のいずれか１項に記載の方法。
【請求項１１】
前記単独ＲＩＣ療法または反復ＲＩＣ療法が、前記外傷前において行われる、
請求項１〜１０のいずれか１項に記載の方法。
【請求項１２】
前記反復ＲＩＣ療法が、前記外傷前および前記外傷後において行われる、
請求項１〜１０のいずれか１項に記載の方法。
【請求項１３】
前記反復ＲＩＣ療法が、前記外傷前、前記外傷中、および前記外傷後において行われる、
請求項１〜１０のいずれか１項に記載の方法。
【請求項１４】
前記反復ＲＩＣ療法が、前記外傷中および前記外傷後において行われる、
請求項１〜１０のいずれか１項に記載の方法。
【請求項１５】
前記単独ＲＩＣ療法または反復ＲＩＣ療法が、前記外傷後において行われる、
請求項１〜１０のいずれか１項に記載の方法。
【請求項１６】
少なくとも１回のＲＩＣ療法が少なくとも４サイクルを含み、各サイクルが閉塞と再灌流とを含む、
請求項１〜１５のいずれか１項に記載の方法。
【請求項１７】
少なくとも１回のＲＩＣ療法が、５分間の閉塞と５分間の再灌流のサイクルを１サイクル以上含む、
請求項１〜１５のいずれか１項に記載の方法。
【請求項１８】
前記閉塞のための血圧が、収縮期血圧より少なくとも１５ｍｍＨｇ高い圧力である、
請求項１６または１７に記載の方法。
【請求項１９】
前記閉塞のための血圧が、２００ｍｍＨｇの圧力である、
請求項１６または１７に記載の方法。
【請求項２０】
前記単独ＲＩＣ療法または反復ＲＩＣ療法が一つの部位で行われる、
請求項１〜１９のいずれか１項に記載の方法。
【請求項２１】
前記単独ＲＩＣ療法または反復ＲＩＣ療法が、上肢または下肢で行われる、
請求項１〜２０のいずれか１項に記載の方法。
【請求項２２】
前記対象は、カリウムチャンネル開口薬もしくは作動薬、またはアデノシン受容体作動薬、またはそれら両方が投与される、
請求項１〜２１のいずれか１項に記載の方法。
【請求項２３】
前記対象は、抗炎症剤、β−アドレナリン遮断薬、およびカルシウムチャンネル遮断薬の少なくとも１つが投与される、
請求項１〜２１のいずれか１項に記載の方法。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
電動空気浄化レスピレーターであって、
少なくとも１つの羽根車、及び上部外側表面と下部外側表面とを有するスクロールを含む放射ブロワーであって、前記スクロールの空気通路の断面が、前記上部外側表面及び前記下部外側表面に対応する辺を含み、前記辺が、平行な傾斜区分を有する、放射ブロワーを備える、電動空気浄化レスピレーター。
【請求項２】
電動空気浄化レスピレーターであって、
少なくとも１つの羽根車、及び上部外側表面と下部外側表面とを有するスクロールを含む放射ブロワーであって、前記スクロールの空気通路の断面が、前記上部外側表面及び前記下部外側表面に対応する実質的に平行な１組の辺を有し、前記実質的に平行な１組の辺が湾曲している、放射ブロワーを備える、電動空気浄化レスピレーター。
【請求項３】
電動空気浄化レスピレーターであって、
少なくとも１つの羽根車及びスクロールを含む放射ブロワーであって、
前記スクロールが上部外側表面及び下部外側表面を有し、前記上部外側表面が凸状であり、かつ前記下部外側表面が凹状であり、
前記放射ブロワーが入口を更に含み、前記入口が前記下部外側表面に配置されている、放射ブロワーを備える、電動空気浄化レスピレーター。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
それぞれが乾燥粉末形態の薬剤を含み、等間隔に離間された複数のブリスターポケット（１５ａ）で構成されたブリスター包装体（１５）から、乾燥粉末形態の薬剤を送達するのに適した吸入器（１）であって、
患者が使用時に開封されたブリスターから１回分投与量の前記乾燥粉末形態の薬剤を吸入できるようにするマウスピース（１４）と、
使用時に、前記ブリスター包装体（１５）を割り出し、前記乾燥粉末形態の薬剤の吸入の準備が整い得るようにする歯車機構と、
前記マウスピース（１４）を覆い、前記歯車機構を起動させる回転式マウスピースカバー（２）と、
前記歯車機構の構成要素であって、側部カバー（８３１ａ，３１ｃ）を介して前記マウスピースカバー（２）と接合する駆動歯車（１２）と、
前記上部ハウジング部材（４ａ）と前記下部ハウジング部材（４ｂ）との間に位置し、使用時に前記ブリスター包装体及び前記歯車機構が封入されているハウジング（１０）とを備え、
前記駆動歯車（１２）と前記マウスピースカバー（２）が同期できるように、前記駆動歯車の各端部（１２ａ；１２ｂ）と前記マウスピースカバーの適切な接続点（３０；２９）との間に接続を提供する側部カバー（３１ａ，３１ｃ）と、前記歯車機構内で少なくとも１つの歯車の回転を阻む少なくとも１つのストッパ（２６）とを特徴とする、吸入器（１）。
【請求項２】
ストッパ構成要素（２６）は下部ハウジング部材（４ｂ）内に位置決めされ、少なくとも１つの歯車の歯と連結することによって前記歯車機構の回転を防止する、請求項１に記載の吸入器（１）。
【請求項３】
ストッパ（２６）は、前記歯車機構の割り出しラチェットホイール（３）の回転を阻む、請求項１又は２に記載の吸入器（１）。
【請求項４】
前記側部カバーの端部（３１ｂ；３１ｄ）と係合できるように、前記駆動歯車の各端部（１２ａ；１２ｂ）が湾曲している、請求項１に記載の吸入器（１）。
【請求項５】
前記駆動歯車の各端部上の湾曲部分（１２ａ；１２ｂ）の内面は、各端部に取り付けられた前記側部カバーの端部（３１ｂ；３１ｄ）の形状と一致する、請求項４に記載の吸入器（１）。
【請求項６】
各側部カバー（３１ａ；３１ｃ）は、前記マウスピースカバーの接続点（３０；２９）を通過し、前記駆動歯車の前記端部の湾曲部分（１２ａ；１２ｂ）に取り付けられて、前記マウスピースカバー（２）と前記駆動歯車を相互接続する、請求項１に記載の吸入器（１）。
【請求項７】
上部ハウジング部材（４ａ）及び下部ハウジング部材（４ｂ）上の突起（２３ａ，２３ｂ；２４ａ，２４ｂ）によって制限された経路が提供される、請求項１に記載の吸入器（１）。
【請求項８】
マウスピースカバー（２）は、上部ハウジング部材（４ａ）及び下部ハウジング部材（４ｂ）上で摺動することによって回転運動する、請求項１に記載の吸入器（１）。
【請求項９】
マウスピースカバー（２）は、前記デバイスの各作動に応答して、前記上部ハウジング部材及び前記下部ハウジング部材の窪み（２３ａ，２３ｂ；２４ａ，２４ｂ）によって画定された一定距離の経路に沿って、前記デバイスの形状に従って３０°から１６０°の範囲の固定角度だけ回転する、請求項１から８のいずれか１項に記載の吸入器（１）。
【請求項１０】
マウスピースカバー（２）は、
マウスピースカバー（２）が前記回転経路の一方端にある突起（２３ａ，２４ａ）上に寄りかかっている場合に、マウスピース（１４）が完全に覆われ、デバイス（１）が待機モードにある一方の位置、及び
マウスピースカバー（２）が前記回転経路の他方端にある突起（２３ａ，２４ａ）上に寄りかかっている場合に、使用中にデバイス（１）の作動後に、１回分投与量の前記乾燥粉末形態の薬剤の吸入の準備が整う他方の位置、
の２つの位置のうち一方のみにある、請求項１から９のいずれか１項に記載の吸入器（１）。
【請求項１１】
前記歯車機構の全構成要素は、直接又は間接的に相互に係合する、請求項１に記載の吸入器（１）。
【請求項１２】
前記歯車機構は、
マウスピースカバー（２）の一定角度の動作を割り出しラチェットホイール（３）に伝達することによって、デバイス（１）を作動させる駆動歯車（１２）と、
割り出しラチェットホイール（３）と同期して、使用中にブリスター包装体（１５）の割り出しを可能にする割り出しホイール（８）と、
割り出しホイール（８）が回転すると、機構ホイール（５）を介して巻取りホイール（１３）を動作させる巻取りホイール歯車（６）と、
割り出しホイール（８）の動作をカウンタホイール（９）に伝達するピニオン歯車（１１）及びベース歯車（７）と、
デバイス（１）に残っている前記未使用のブリスターポケット（１５ａ）の数を表示するカウンタ歯車（９）とで構成される、請求項１又は１１に記載の吸入器（１）。
【請求項１３】
前記歯車機構の構成要素である割り出しホイール（８）上に８つの窪みがある、請求項１２に記載の吸入器（１）。
【請求項１４】
デバイス（１）の各作動に応答した割り出しホイール（８）の４５°という一定角度の回転は、前記デバイスの形状に応じて３０°から１６０°の範囲の一定角度で回転するマウスピースカバー（２）と、側部カバー（３１ａ；３１ｃ）を介して前記マウスピースカバーの接続点（３０；２９）に取り付けられた駆動歯車（１２）との同期によって提供される、請求項１３に記載の吸入器（１）。
【請求項１５】
それぞれが乾燥粉末形態の薬剤を含み、等間隔に離間された複数のブリスターポケット（１５ａ）で構成されたブリスター包装体（１５）をさらに有する、請求項１から１４のいずれか１項に記載の吸入器。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
それぞれが乾燥粉末形態の薬剤を有し、等間隔に離間された複数のブリスターポケット（１５ａ）で構成されたブリスター包装体（１５）から乾燥粉末形態の薬剤を送達するのに適した吸入器であって、
−ブリスター包装体（１５）の剥離を提供するビーク（１６）と、
−患者が、開封されたブリスターから前記乾燥粉末形態の薬剤を吸入するのを可能にするマウスピース（１４）と、
−マウスピース（１４）を覆う回転式マウスピースカバー（２）と、
−ブリスター包装体（１５）を割り出して、前記乾燥粉末形態の薬剤の吸入の準備を整えることを可能にする歯車機構と、
−上部ハウジング部材（４ａ）と下部ハウジング部材（４ｂ）の間に位置し、前記ブリスター包装体及び前記歯車機構を封入するハウジング（１０）と、
を備え、
前記デバイスが作動すると割り出されるブリスター包装体（１５）の蓋シート（１５ｂ）と接触しているビーク（１６）の鋭利な先端（１６ａ）の半径は、０．０５ｍｍ〜１ｍｍの範囲にあることを特徴とする、吸入器（１）。
【請求項２】
前記ブリスターパックの蓋シート（１５ｂ）に接触しているビーク（１６）の鋭利な先端（１６ａ）の半径は、好ましくは、０．０５ｍｍ〜０．４ｍｍの範囲である、請求項１に記載の吸入器（１）。
【請求項３】
前記マニホールドの鋭利な先端（２０ｃ）と前記ビークの鋭利な先端（１６ａ）との間の距離は、少なくとも０．００５ｍｍである、請求項１又は２に記載の吸入器（１）。
【請求項４】
前記マニホールドの鋭利な先端（２０ｃ）と前記ビークの鋭利な先端（１６ａ）との間の距離は、好ましくは、０．００５ｍｍ〜０．５ｍｍの範囲である、請求項１又は２に記載の吸入器（１）。
【請求項５】
ビーク（１６）及びマニホールド（２０）は、好ましくは、前記吸入器のハウジング（１０）内に収容される、請求項１に記載の吸入器（１）。
【請求項６】
前記上部及び下部ハウジング部材上の突起（２３ａ，２３ｂ；２４ａ，２４ｂ）によって制限された経路が配置される、請求項１に記載の吸入器（１）。
【請求項７】
マウスピースカバー（２）は、上部ハウジング部材（４ａ）及び下部ハウジング部材（４ｂ）上を摺動することによって回転運動する、請求項１に記載の吸入器（１）。
【請求項８】
マウスピースカバー（２）は、
−マウスピースカバー（２）が第一位置にあって、マウスピース（１４）が完全に覆われて、デバイス（１）が待機モードにある位置と、
−マウスピースカバー（２）が第二位置にあって、デバイス（１）が作動すると、１回分投与量の前記乾燥粉末形態の薬剤に吸入の準備が整う位置、
の２つの位置のみにある、請求項１〜７のいずれか１項に記載の吸入器（１）。
【請求項９】
前記マウスピースカバーが容易に回転するように、前記マウスピースカバーの一方端に湾曲部分（２ａ）がある、請求項１に記載の吸入器（１）。
【請求項１０】
前記歯車機構の全構成要素は、直接又は間接的に相互に係合する、請求項１に記載の吸入器（１）。
【請求項１１】
前記歯車機構は、
−マウスピースカバー（２）の一定角度の運動を割り出しラチェットホイール（３）に伝達することによって、デバイス（１）を作動させる駆動歯車（１２）と、
−割り出しラチェットホイール（３）と同期し、ブリスター包装体（１５）の割り出しを可能にする割り出しホイール（８）と、
−割り出しホイール（８）が回転すると、機構ホイール（５）を介して前記巻取りホイール（１３）を動作させる巻取りホイール歯車（６）と、
−割り出しホイール（８）の動作をカウンタホイール（９）に伝達するピニオン歯車（１１）及びベース歯車（７）と、
−前記デバイス（１）内に残っている未使用のブリスターポケット（１５ａ）の数を表示する前記カウンタホイール（９）と
で構成される、請求項１又は１０に記載の吸入器（１）。
【請求項１２】
それぞれが乾燥粉末形態の薬剤を含み、等間隔に離間された複数のブリスターポケット（１５ａ）で構成されたブリスター包装体（１５）をさらに備える、請求項１〜１１のいずれか１項に記載の吸入器（１）。
【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
周と長手軸とを有する管状部材を有する拡張可能なスライドロックステントであって、
各々が反転螺旋形状を有し、かつ、正に向かう傾きを有する少なくとも１つの部分と、負に向かう傾きを有する少なくとも１つの部分とを有し、前記周の少なくとも一部に沿ってそして前記長手軸に沿って延びる第１および第２の背骨と、
近位端と遠位端を形成するレール部材であって、前記レール部材の前記近位端は前記第１の背骨に結合され、前記レール部材の前記遠位端は前記第１の背骨から前記周の方向に延び、前記レール部材は前記第２の背骨内の係合要素と係合するように構成されている、レール部材と、
を有し、
正に向かう傾きを有する前記部分と、負に向かう傾きを有する前記部分の少なくとも１つが複数の波形をさらに含み、
前記部分の各々が複数の穴を有し、前記穴の各々が、同じ前記部分上で隣接している前記穴と比較して前記長手軸に対して異なった角度で配置されており、
前記管状部材が折り畳まれた状態の直径から拡張された状態の直径までの間を拡張できるように、前記レール部材により前記第２の背骨が、前記第１の背骨から離れる一方向の運動を行うように構成されている、
拡張可能なスライドロックステント。
【請求項２】
前記反転螺旋形状が反転曲線形状を含む、請求項１に記載のステント。
【請求項３】
前記反転螺旋形状が正弦曲線の形状を含む、請求項１に記載のステント。
【請求項４】
前記の複数の波形が複数の連続した曲線を含む、請求項１に記載のステント。
【請求項５】
前記第１および第２の背骨の前記反転螺旋形状が、前記第１および第２の背骨の少なくとも一方に少なくとも沿って延びるサブパターンの波形を含む、請求項１に記載のステント。
【請求項６】
前記レール部材と前記第２の背骨とが斜角をなして交差している、請求項１に記載のステント。
【請求項７】
各近位端と遠位端を形成する複数のレール部材をさらに有し、前記複数のレール部材の各々の前記近位端は前記第１の背骨に結合され、前記複数のレール部材の各々の前記遠位端は前記第１の背骨から周方向に延び、前記レール部材は前記第２の背骨内の複数の穴の１つと交差し、かつこれを通過するように構成されている、請求項１に記載のステント。
【請求項８】
前記第２の背骨内の１つ以上の前記穴が穴角度を形成し、前記穴角度が前記長手軸に対して斜めに延びている、請求項７に記載のステント。
【請求項９】
前記穴の各々が、前記長手軸に対して隣接している前記穴とは比較して異なった角度で配置されている、請求項８に記載のステント。
【請求項１０】
前記第１および第２の背骨が反転螺旋背骨であり、該反転螺旋背骨は、その頂点と谷の間を前記背骨に沿って延びる、概ね曲線状のサブ形態を形成している、請求項１に記載のステント。
【請求項１１】
前記レール部材が、前記ステントの一方向の拡張をもたらすように、穴と係合する１つ以上の歯を含む、請求項１に記載のステント。
【請求項１２】
前記穴が、中央の通路と、前記レール部材の歯と係合する少なくとも１つの内部窪みを有する、請求項１１に記載のステント。
【請求項１３】
請求項１２に記載のステントを形成する方法であって、
前記中央の通路を、第１の貫通穴として前記背骨内に前記ステントの周方向に形成することと、前記の少なくとも１つの内部窪みを、第２の貫通穴として前記背骨内に、前記第１および第２の貫通穴が部分的に重なるように、前記中央の通路の周方向に対して横の方向に形成することと、を有する方法。